(57)【要約】【課題】復調された信号の信号強度を正確に測定する通信機を提供する。【解決手段】２つの局部発振器を備え、局部発振器２２を用いて復調信号を求める復調処理をし、局部発振器３３を用いて信号レベル検出処理をする。信号レベル検出処理は、ＬＰＦ２７で、受信信号の搬送波の周波数ｆｃ’と第１の局部発振器２２の第１局部発振信号の周波数ｆｃとの差がＤＣ成分Δとして含まれる復調信号からＤＣ成分Δを取り出す。ＡＦＣ３２は、ＤＣ成分Δに応じて周波数の差を検出し、局部発振器３３に周波数の相殺する補正周波数δｆの制御信号を出力する。混合器３４は、局部発振器３３から出力される補正後の第２局部発振信号と受信信号とを混合し、ＢＰＦ３５に供給する。信号レベル検出器３７は、受信信号と同一又は狭い帯域幅の通過帯域のＢＰＦ３５で選択された信号の信号強度を測定する。【選択図】図１
2010098524.tif 000002
【特許請求の範囲】
【請求項１】
第１局部発振信号を出力する第１局部発振手段と、
所定の通過帯域幅を有するバンドパスフィルタと、
前記第１局部発振手段が出力する第１局部発振信号の周波数と前記バンドパスフィルタの通過帯域の中心周波数との差に相当する周波数の第２局部発振信号を出力する第２局部発振手段と、
受信信号と前記第１局部発振手段から出力された前記第１局部発振信号とに基づいて、前記受信信号を復調して復調信号を求める復調手段と、
前記復調手段で復調された復調信号に含まれる前記受信信号の搬送波の周波数と前記第１局部発振信号の周波数との差を求める周波数差検出手段と、
前記周波数差検出手段で求められた周波数の差に基づいて、前記第２局部発振手段が出力する第２局部発振信号の周波数を前記受信信号の搬送波の周波数と前記バンドパスフィルタの通過帯域の中心周波数との差に相当する周波数に制御する第２局部発振制御手段と、
前記受信信号と前記第２局部発振信号とを混合して、中心周波数が前記バンドパスフィルタの通過帯域の中心周波数に一致する混合信号を生成し、前記バンドパスフィルタに出力する混合信号生成手段と、
前記バンドパスフィルタを通過した信号の信号強度を測定する信号強度測定手段と、を備えることを特徴とする通信機。
【請求項２】
前記周波数差検出手段は、復調された信号に含まれる直流成分の値に基づいて、前記受信信号の搬送波の周波数と前記第１局部発振信号の周波数との差を検出する、ことを特徴とする請求項１に記載の通信機。
【請求項３】
前記バンドパスフィルタの所定の通過帯域は、前記混合信号生成手段で生成された混合信号に含まれる前記受信信号の帯域幅と同一又は狭い、ことを特徴とする請求項１又は２に記載の通信機。
【請求項４】
前記通信機は、
前記信号強度測定手段で測定された信号強度が所定の値以上の場合に、前記復調信号を出力し、前記信号強度測定手段で測定された信号強度が所定の値未満の場合に、前記復調信号を出力を停止する出力手段と、を備えることを特徴とする請求項１乃至３の何れか１項に記載の通信機。
【請求項５】
第１局部発振信号を出力する第１局部発振ステップと、
所定の通過帯域幅を有するバンドパスフィルタと、
前記第１局部発振ステップが出力する第１局部発振信号の周波数と前記バンドパスフィルタの通過帯域の中心周波数との差に相当する周波数の第２局部発振信号を出力する第２局部発振ステップと、
受信信号と前記第１局部発振ステップから出力された前記第１局部発振信号とに基づいて、前記受信信号を復調して復調信号を求める復調ステップと、
前記復調ステップで復調された復調信号に含まれる前記受信信号の搬送波の周波数と前記第１局部発振信号の周波数との差を求める周波数差検出ステップと、
前記周波数差検出ステップで求められた周波数の差に基づいて、前記第２局部発振ステップが出力する第２局部発振信号の周波数を前記受信信号の搬送波の周波数と前記バンドパスフィルタの通過帯域の中心周波数との差に相当する周波数に制御する第２局部発振制御ステップと、
前記受信信号と前記第２局部発振信号とを混合して、中心周波数が前記バンドパスフィルタの通過帯域の中心周波数に一致する混合信号を生成し、前記バンドパスフィルタに出力する混合信号生成ステップと、
前記バンドパスフィルタを通過した信号の信号強度を測定する信号強度測定ステップと、を含むことを特徴とする通信機の制御方法。
【請求項６】
信号を受信する機能を備えるコンピュータを
第１局部発振信号を出力する第１局部発振手段と、
所定の通過帯域幅を有するバンドパスフィルタと、
前記第１局部発振手段が出力する第１局部発振信号の周波数と前記バンドパスフィルタの通過帯域の中心周波数との差に相当する周波数の第２局部発振信号を出力する第２局部発振手段と、
受信信号と前記第１局部発振手段から出力された前記第１局部発振信号とに基づいて、前記受信信号を復調して復調信号を求める復調手段と、
前記復調手段で復調された復調信号に含まれる前記受信信号の搬送波の周波数と前記第１局部発振信号の周波数との差を求める周波数差検出手段と、
前記周波数差検出手段で求められた周波数の差に基づいて、前記第２局部発振手段が出力する第２局部発振信号の周波数を前記受信信号の搬送波の周波数と前記バンドパスフィルタの通過帯域の中心周波数との差に相当する周波数に制御する第２局部発振制御手段と、
前記受信信号と前記第２局部発振信号とを混合して、中心周波数が前記バンドパスフィルタの通過帯域の中心周波数に一致する混合信号を生成し、前記バンドパスフィルタに出力する混合信号生成手段と、
前記バンドパスフィルタを通過した信号の信号強度を測定する信号強度測定手段として機能させることを特徴とするコンピュータプログラム。
【発明の詳細な説明】
【技術分野】
【０００１】
本発明は、通信機、通信機の制御方法及びコンピュータプログラムに関し、特に、受信信号の信号強度を測定する通信機、通信機の制御方法及びコンピュータプログラムに関する。
【背景技術】
【０００２】
スケルチ制御や自動利得制御等のために使用する受信電界強度を検出する信号レベル検出回路を備えた通信機が従来から広く存在する。
【０００３】
図５に受信電界強度に基づいて制御を行うスケルチ制御回路を備える受信機の一例を示す。
この受信機は、アンテナ１１１による受信信号のうちからＢＰＦ１１２によって、目的の信号を選択し、増幅器１１３で増幅した後、信号レベル検出回路１３０と、信号復調回路１２０とに供給する。
信号レベル検出回路１３０は、信号レベル検出器１３７で信号強度を測定し、測定値をスケルチ制御回路１１７に供給する。スケルチ制御回路１１７は、受信信号の信号強度が基準値以上の場合は出力器１１６に復調信号を出力させる制御信号を供給し、基準値未満の場合は出力器１１６に復調信号の出力を停止させる制御信号を供給する。
【０００４】
一方、信号復調回路１２０は、供給された信号を復調し、ＢＰＦ１１５で目的信号を選択し、出力器１１６に供給する。
出力器１１６は、スケルチ制御回路１１７から供給される制御信号により、復調されたオーディオ信号（目的周波数の復調信号）を出力又は停止する。
【０００５】
関連する技術として、特許文献１には、スケルチ制御のために信号レベル検出回路を備えた通信機が記載されている。特許文献２には、信号レベル検出器が急激な受信電界強度の低下を検出した場合に、サンプルホールドされた周波数検波出力を用いて、受信周波数を検出する方法が記載されている。
【０００６】
【特許文献１】実開昭６２−１７８６３３号公報
【特許文献２】特開平０６−１２０９９６号公報
【発明の開示】
【発明が解決しようとする課題】
【０００７】
図５に示す受信機のＢＰＦ１１２の通過帯域幅が比較的狭い場合に、受信信号の周波数がずれると、ＢＰＦ１１２で受信信号がカットされて、受信信号が正常に復調できないおそれがある。
【０００８】
従って、ＢＰＦ１１２の通過帯域幅は、目的信号の通過帯域よりも広く設定されている場合が多い。しかし、ＢＰＦ１１２の通過帯域幅が広く設定されている場合には、受信信号がカットされて、正常に復調できない問題は生じないが、図６に示すように、目的外信号が混入し、信号レベル検出器１３７が、目的外信号の信号強度を受信信号の信号強度として誤って検出して、その測定値をスケルチ制御回路１１７に供給し、ノイズが出力されるおそれがある。
【０００９】
上述した問題に対し、図７に示すように、受信信号の搬送波の周波数と局部発振信号の周波数の間に生じる偏差の影響を防ぎつつ、ＢＰＦ１１２に混入する目的外信号の影響を避けるために、ＬＰＦ１２６、ＬＰＦ１２７の通過帯域を狭くしたＦＭ受信機がある。このＦＭ受信機では、図中の点線１４０で示すように、ＡＦＣ（automatic frequency control）１３２で局部発振周波数を補正する。上述した、特許文献２に記載した技術も同様の構成を含んでいる。
しかし、図７に示すＦＭ受信機では、復調経路内にフィードバックループを形成することになり、フィードバックループを形成しない図５に示したＦＭ受信機に比べて、周波数偏差に対する応答速度、安定性等の制御が難しくなる等、別の問題が生じる。
【００１０】
本発明は、上述したような問題を解決するためになされたもので、目的信号の信号強度を正確に測定できる信号レベル検出回路を備えた通信機、通信機の制御方法及びコンピュータプログラムを提供することを目的とする。
【課題を解決するための手段】
【００１１】
上記目的を達成するため、本発明の第１の観点に係る通信機は、
第１局部発振信号を出力する第１局部発振手段と、
所定の通過帯域幅を有するバンドパスフィルタと、
前記第１局部発振手段が出力する第１局部発振信号の周波数と前記バンドパスフィルタの通過帯域の中心周波数との差に相当する周波数の第２局部発振信号を出力する第２局部発振手段と、
受信信号と前記第１局部発振手段から出力された前記第１局部発振信号とに基づいて、前記受信信号を復調して復調信号を求める復調手段と、
前記復調手段で復調された復調信号に含まれる前記受信信号の搬送波の周波数と前記第１局部発振信号の周波数との差を求める周波数差検出手段と、
前記周波数差検出手段で求められた周波数の差に基づいて、前記第２局部発振手段が出力する第２局部発振信号の周波数を前記受信信号の搬送波の周波数と前記バンドパスフィルタの通過帯域の中心周波数との差に相当する周波数に制御する第２局部発振制御手段と、
前記受信信号と前記第２局部発振信号とを混合して、中心周波数が前記バンドパスフィルタの通過帯域の中心周波数に一致する混合信号を生成し、前記バンドパスフィルタに出力する混合信号生成手段と、
前記バンドパスフィルタを通過した信号の信号強度を測定する信号強度測定手段と、を備えることを特徴とする。
【００１２】
好ましくは、前記周波数差検出手段は、復調された信号に含まれる直流成分の値に基づいて、前記受信信号の搬送波の周波数と前記第１局部発振信号の周波数との差を検出する、ことを特徴とする。
【００１３】
好ましくは、前記バンドパスフィルタの所定の通過帯域は、前記混合信号生成手段で生成された混合信号に含まれる前記受信信号の帯域幅と同一又は狭い、ことを特徴とする。
【００１４】
好ましくは、前記通信機は、
前記信号強度測定手段で測定された信号強度が所定の値以上の場合に、前記復調信号を出力し、前記信号強度測定手段で測定された信号強度が所定の値未満の場合に、前記復調信号を出力を停止する出力手段と、を備えることを特徴とする。
【００１５】
上記目的を達成するため、本発明の第２の観点に係る通信機の制御方法は、
第１局部発振信号を出力する第１局部発振ステップと、
所定の通過帯域幅を有するバンドパスフィルタと、
前記第１局部発振ステップが出力する第１局部発振信号の周波数と前記バンドパスフィルタの通過帯域の中心周波数との差に相当する周波数の第２局部発振信号を出力する第２局部発振ステップと、
受信信号と前記第１局部発振ステップから出力された前記第１局部発振信号とに基づいて、前記受信信号を復調して復調信号を求める復調ステップと、
前記復調ステップで復調された復調信号に含まれる前記受信信号の搬送波の周波数と前記第１局部発振信号の周波数との差を求める周波数差検出ステップと、
前記周波数差検出ステップで求められた周波数の差に基づいて、前記第２局部発振ステップが出力する第２局部発振信号の周波数を前記受信信号の搬送波の周波数と前記バンドパスフィルタの通過帯域の中心周波数との差に相当する周波数に制御する第２局部発振制御ステップと、
前記受信信号と前記第２局部発振信号とを混合して、中心周波数が前記バンドパスフィルタの通過帯域の中心周波数に一致する混合信号を生成し、前記バンドパスフィルタに出力する混合信号生成ステップと、
前記バンドパスフィルタを通過した信号の信号強度を測定する信号強度測定ステップと、を含むことを特徴とする。
【００１６】
上記目的を達成するため、本発明の第３の観点に係るコンピュータプログラムは、
信号を受信する機能を備えるコンピュータを
第１局部発振信号を出力する第１局部発振手段と、
所定の通過帯域幅を有するバンドパスフィルタと、
前記第１局部発振手段が出力する第１局部発振信号の周波数と前記バンドパスフィルタの通過帯域の中心周波数との差に相当する周波数の第２局部発振信号を出力する第２局部発振手段と、
受信信号と前記第１局部発振手段から出力された前記第１局部発振信号とに基づいて、前記受信信号を復調して復調信号を求める復調手段と、
前記復調手段で復調された復調信号に含まれる前記受信信号の搬送波の周波数と前記第１局部発振信号の周波数との差を求める周波数差検出手段と、
前記周波数差検出手段で求められた周波数の差に基づいて、前記第２局部発振手段が出力する第２局部発振信号の周波数を前記受信信号の搬送波の周波数と前記バンドパスフィルタの通過帯域の中心周波数との差に相当する周波数に制御する第２局部発振制御手段と、
前記受信信号と前記第２局部発振信号とを混合して、中心周波数が前記バンドパスフィルタの通過帯域の中心周波数に一致する混合信号を生成し、前記バンドパスフィルタに出力する混合信号生成手段と、
前記バンドパスフィルタを通過した信号の信号強度を測定する信号強度測定手段として機能させることを特徴とする。
【発明の効果】
【００１７】
本発明の通信機、通信機の制御方法及びコンピュータプログラムによれば、目的信号の信号強度を正確に測定できる信号レベル検出装置を備えた通信機を提供することが出来る。
【発明を実施するための最良の形態】
【００１８】
以下、この発明の実施の形態に係る通信機及び通信機の制御方法について図面を参照しながら説明する。
【００１９】
（実施形態）
本実施形態の通信機１００は、図１に示すように、アンテナ１１と、ＢＰＦ１２と、増幅器１３と、ＢＰＦ１５と、出力器１６と、スケルチ制御回路１７と、復調部２０と、信号レベル検出部３０とを備える。
復調部２０は、局部発振器２２と、移相器２３と、混合器２４、２５と、ＬＰＦ２６、２７と、検波器２８とを備える。
信号レベル検出部３０は、ＬＰＦ３１と、ＡＦＣ３２と、局部発振器３３と、混合器３４と、ＢＰＦ３５と、増幅器３６と、信号レベル検出器３７とを備える。
【００２０】
アンテナ１１は、同調回路（図示せず）と共に信号を受信して、受信信号をＢＰＦ１２に供給する。
ＢＰＦ（バンドパスフィルタ）１２は、所定の通過帯域を有し、受信された信号のうち、通過帯域内の周波数を有する目的信号（復調対象信号）を通過させ、他の周波数成分を減衰する。ＢＰＦ１２の通過帯域幅は、図２に示すように、受信信号の周波数偏差を考慮して、目的信号の帯域幅よりも十分広く設定されている。
増幅器１３は、ＢＰＦ１２を通過した信号を増幅する。増幅された信号は分岐され、復調部２０の混合器２４、２５と、信号レベル検出部３０の混合器３４とに供給される。
【００２１】
局部発振器２２は、水晶発振器等により構成されており、周波数ｆｃの第１局部発振信号を生成する。ここで、局部発振器２２は、第１局部発振信号の周波数ｆｃが受信信号の搬送波周波数ｆｃ’と一致するように調整されるが、実際には送信機、受信機の周波数偏差により、受信信号の周波数ｆｃ’と第１局部発振信号の周波数ｆｃには誤差が生じる。
【００２２】
移相器２３は、第１局部発振信号の位相を実質的に９０度遅らせて、移相信号を生成し、混合器２５に供給する。
【００２３】
混合器２４、２５は、互いに実質的に同一の構成を有している。混合器２４は、受信信号と局部発振器２２から供給される第１局部発振信号とを混合し、Ｉチャンネルベースバンド信号を生成して、ＬＰＦ２６に供給する。
混合器２５は、受信信号と移相器２３から供給される移相信号とを混合して、Ｑチャンネルベースバンド信号を生成して、ＬＰＦ２７に供給する。
【００２４】
ＬＰＦ（ローパスフィルタ）２６、２７は、互いに実質的に同一の構成を有している。ＬＰＦ２６は、Ｉチャンネルベースバンド信号のうち、イメージ成分（ｆｃ’＋ｆｃの周波数の成分）を減衰し、残りの周波数成分を検波器２８に供給する。
ＬＰＦ（ローパスフィルタ）２７は、Ｑチャンネルベースバンド信号のうち、イメージ成分（ｆｃ’＋ｆｃの周波数の成分）を減衰し、残りの周波数成分を検波器２８に供給する。
【００２５】
検波器２８は、ＬＰＦ２６から供給されるＩチャンネルベースバンド信号をＬＰＦ２７から供給されるＱチャンネルベースバンド信号で割り算してｔａｎωｔ（＝Ｉ／Ｑ）を求め、このアークタンジェントａｒｃｔａｎ（Ｉ／Ｑ）、即ち、受信信号の位相ωｔを検出する。
検波器２８は、さらに、検出した位相ωｔの変化に応じて、レベル値が変化する復調信号を生成し、ＢＰＦ１５とＬＰＦ３１に供給する。
【００２６】
ＢＰＦ（バンドパスフィルタ）１５は、検波器２８で復調された信号のうち通過帯域内の周波数の信号を通過させる。ＢＰＦ１５の通過帯域は、復調信号が音声ならば、例えば、３００Ｈｚから３０００Ｈｚに設定されている。
【００２７】
出力器１６は、ＢＰＦ１５を通過した復調信号を出力する装置であり、例えばスピーカ等の音出力装置である。出力器１６は、スケルチ制御回路１７からの制御信号に応答して、復調信号の出力と停止を切り替える。
【００２８】
次に、受信信号の信号レベルを検出する信号レベル検出部３０について説明する。
ＬＰＦ（ローパスフィルタ）３１は、図３に示すように、復調信号からカットオフ周波数以上の周波数成分を減衰し、カットオフ周波数未満の周波数成分を通過させ、受信信号の周波数ｆｃ’と第１局部発振信号の周波数ｆｃとの差に対応したＤＣ成分ΔをＡＦＣ３２に供給する。カットオフ周波数は、例えば、音声帯域成分（３００Ｈｚから３０００Ｈｚ）の下限である３００Ｈｚ以下に設定される。
【００２９】
ＡＦＣ（自動周波数コントローラ）３２は、ＬＰＦ３１を通過したＤＣ成分Δの電圧値に基づいて、受信信号の搬送波の周波数ｆｃ’と局部発振器２２の第１局部発振信号の周波数ｆｃとの差を、テーブルを参照したり、適当な係数を掛ける等の処理によって求める。求めた周波数の差に基づいて、局部発振器３３が発生する第２局部発振信号の周波数を補正する補正周波数δｆ（＝ｆｃ’−ｆｃ）の制御信号を出力する。
【００３０】
局部発振器３３は、ＡＦＣ３２から供給される補正周波数δｆに基づいて、周波数を補正した第２局部発振信号を混合器３４に供給する。具体的には、局部発振器３３は、周波数ｆｄ＋補正周波数δｆで発振し、周波数ｆｄ＋δｆの第２局部発振信号を出力する。
【００３１】
混合器３４は、図４に示すように、増幅器１３から供給される受信信号と局部発振器３３から供給される第２局部発振信号とを混合して、受信信号の周波数ｆｃ’と第２局部発振信号の周波数ｆｄ＋δｆとの差（ｆｃ’−（ｆｄ＋δｆ））の周波数を有する混合信号をＢＰＦ３５に供給する。
【００３２】
ＢＰＦ３５は、中心周波数ｆｂ３５が（ｆｃ−ｆｄ）で、通過帯域幅が目的信号の帯域幅と同一か、それよりも狭い通過帯域を有する。ＢＰＦ３５の通過帯域幅は、信号の復調には影響を与えないため、通過帯域を狭く設定しても問題を生じないからである。
前述のように、δｆ＝ｆｃ’−ｆｃであり、混合器３４からの混合出力の中心周波数（ｆｃ’−（ｆｄ＋δｆ））＝ｆｃ−ｆｄとなり、ＢＰＦ３５の通過帯域の中心周波数ｆｂ３５に一致する。
【００３３】
信号レベル検出器３７は、増幅器３６で適切なレベルに増幅された混合信号の信号強度を測定し、測定値をスケルチ制御回路１７に供給する。
【００３４】
スケルチ制御回路１７は、信号レベル検出器３７から供給される信号の信号強度と、基準値とを比較して、信号レベルが大きい場合には出力器１６に復調信号を出力させる制御信号を供給し、信号レベルが小さい場合には、出力器１６に出力を停止させる制御信号を供給する。
【００３５】
（動作）
次に、この通信機１００の動作を、説明する。
アンテナ１１と同調回路（図示せず）によって受信された信号は、ＢＰＦ１２で復調する信号が選択され、増幅器１３で増幅される。増幅された信号は、分岐され、混合器２４、２５、３４に供給される。
一方、混合器２４には局部発振器２２が生成する第１局部発振信号が供給され、混合器２５には第１局部発振信号の位相を９０度遅れさせた移相信号が移相器２３より供給される。
【００３６】
混合器２４は、受信信号と第１局部発振信号とを混合して、Ｉチャンネルベースバンド信号を生成する。混合器２４が生成したＩチャンネルベースバンド信号はＬＰＦ２６によりフィルタリングされた後、検波器２８に供給される。混合器２５は、受信信号と移相信号とを混合して、Ｑチャンネルベースバンド信号を生成する。混合器２５が生成したＱチャンネルベースバンド信号はＬＰＦ２７によりフィルタリングされた後、検波器２８に供給される。
【００３７】
検波器２８は、ＬＰＦ２６、ＬＰＦ２７から供給される両信号からＦＭ信号の位相ωｔを検出し、位相ωｔの変動に応じて、レベルが変動する復調信号を生成し、ＢＰＦ１５、ＬＰＦ３１に供給する。
出力器１６は、ＢＰＦ１５の通過帯域で選択された復調信号を出力する。
【００３８】
受信信号の搬送波の周波数と局部発振器２２の第１局部発振信号の周波数とに差がない場合は、検波器２８で復調された信号にＤＣ成分Δは含まれない。この場合、ＡＦＣ３２に供給されるＬＰＦ３１通過後の信号にＤＣ成分Δが含まれないため、ＡＦＣ３２から局部発振器３３へは、補正周波数δｆ＝０の制御信号が供給される。ＡＦＣ３２から局部発振器３３へ補正周波数δｆ＝０の制御信号が供給されるので、局部発振器３３は、局部発振器２２が出力する第１局部発振信号の周波数ｆｃからＢＰＦ３５の通過帯域の中心周波数ｆｂ３５を引いた周波数ｆｃ−ｆｂ３５＝ｆｄの第２局部発振信号を混合器３４に供給する。
【００３９】
混合器３４は、受信信号と第２局部発振信号とを混合し、受信信号と第２局部発振信号との差ｆｃ’−ｆｄの周波数を有する混合信号を生成し、ＢＰＦ３５に供給する。この場合、ｆｃ＝ｆｃ’であるから、混合信号に含まれる所望の信号の中心周波数は、ｆｃ−ｆｄとなり、ＢＰＦ３５の通過帯域の中心周波数ｆｂ３５と同一となる。また、ＢＰＦ３５の通過帯域幅は、目的信号の帯域幅と同一か、それよりも狭い。従って、ＢＰＦ３５は、目的信号の信号強度測定に必要な成分のみを通過させ、増幅器３６に供給する。
信号レベル検出器３７は、増幅器３６で増幅された混合信号の信号強度を測定し、測定値をスケルチ制御回路１７に供給する。
スケルチ制御回路１７は、受信信号の信号レベルを検出し、出力器１６に復調信号を出力させる制御信号又は出力を停止させる制御信号を供給する。
【００４０】
一方、受信信号の搬送波の周波数ｆｃ’と局部発振器２２の第１局部発振信号の周波数ｆｃとに差（ｆｃ’≠ｆｃ）がある場合には、検波器２８で復調された信号には、周波数の差に応じて電圧値が異なるＤＣ成分Δが含まれる。
ただし、ＤＣ成分Δは、ＢＰＦ１５で減衰されるため、出力器１６は正常な復調信号を出力することができる。
【００４１】
一方、検波器２８で復調された信号は、ＬＰＦ３１にも供給され、ＤＣ成分Δのみが抽出され、ＡＦＣ３２に供給する。このＤＣ成分Δは、上述の周波数差（ｆｃ’−ｆｃ）に対応する値である。
ＡＦＣ３２は、ＤＣ成分Δの電圧値に応じて、受信信号の搬送波の周波数ｆｃ’と局部発振器２２の第１局部発振信号の周波数ｆｃとの差δｆを示す補正周波数信号を出力する。
【００４２】
局部発振器３３は、補正周波数信号に応答して、発振周波数ｆｄを補正して、周波数ｆｄ＋δｆで発振し、周波数ｆｄ＋δｆの第２局部発振信号を混合器３４に供給する。
【００４３】
混合器３４は、受信信号と第２局部発振信号とを混合し、受信信号の周波数ｆｃ’と第２局部発振信号の周波数との差ｆｃ’−（ｆｄ＋δｆ）の周波数を有する混合信号を生成し、ＢＰＦ３５に供給する。
この混合信号の周波数ｆｃ’−（ｆｄ＋δｆ）＝ｆｃ’−（ｆｄ＋（ｆｃ’−ｆｃ））＝ｆｃ−ｆｄは、ＢＰＦ３５の通過帯域の中心周波数ｆｂ３５（＝ｆｃ−ｆｄ）と同一であり、ＢＰＦ３５の通過帯域幅は、目的信号の帯域幅と同一かそれより狭い。従って、目的信号の信号強度測定に必要な成分のみがＢＰＦ３５を通過し、増幅器３６に供給され、増幅される。
信号レベル検出器３７は、増幅器３６で増幅された混合信号の信号強度を測定し、測定値をスケルチ制御回路１７に供給する。
【００４４】
スケルチ制御回路１７は、信号レベル検出器３７から供給される測定値が基準値以上の場合には、出力器１６に復調信号を出力させる制御信号を供給し、測定値が基準値未満の場合には、出力器１６に出力を停止させる制御信号を供給する。
【００４５】
出力器１６は、スケルチ制御回路１７の制御信号に基づき、復調信号を出力又は停止する。
【００４６】
以上説明したように、実施形態の通信機１００によれば、復調系の処理と信号レベルを検出する処理とを分け、信号レベルを検出する処理のみでＡＦＣ３２を用いるので、受信信号のレベルを検出する処理では、受信信号の周波数偏差の影響を受けずに、復調する信号の信号強度を正確に測定できる。しかも、通信機１００の復調系の処理経路内にフィードバックループを形成しないので、周波数偏差に対する応答性が高く、安定性も高い。
【００４７】
なお、実施形態の通信機１００では、信号レベル検出値をスケルチ制御回路１７でのみ使用したが、通信機１００に、伝送路が使用中であるかを調べるキャリアセンス回路を備え、信号レベル検出器３７の測定値で送信の有無を切り替えるように制御してもよい。
また、入力の電気信号の振幅が変動する場合においても一定の出力が得られるよう、自動的に増幅回路の増幅率（利得）を調整する自動利得制御回路を備え、信号レベル検出器３７の測定値を制御信号に用いてもよい。
【００４８】
その他、前記のハードウエア構成や処理手順は一例であり、任意に変更及び修正が可能である。
【００４９】
復調部２０、信号レベル検出部３０等から構成される通信機１００は、専用のシステムによらず、通常のコンピュータシステムを用いて実現可能である。例えば、信号の送受信機能を備えるコンピュータに、上述の動作を実行するためのコンピュータプログラムを格納した媒体（フレキシブルディスク、ＣＤ−ＲＯＭ、ＤＶＤ−ＲＯＭ等）から、当該コンピュータプログラムをコンピュータにインストールすることにより、上記処理を実行する通信機１００を構成してもよい。また、インターネット等の通信ネットワーク上のサーバ装置が有する記憶装置に当該コンピュータプログラムを格納しておき、通常のコンピュータシステムがダウンロード等することで通信機１００を構成してもよい。
【００５０】
また、通信機１００の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００５１】
また、搬送波にコンピュータプログラムを重畳し、通信ネットワークを介して配信することも可能である。たとえば、通信ネットワーク上の掲示板(BBS, Bulletin Board System)に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【図面の簡単な説明】
【００５２】
【図１】本発明の実施形態に係る通信機の構成を示すブロック図である。
【図２】ＢＰＦ１２の特性を示す図である。
【図３】ＬＰＦ３１の特性を示す図である。
【図４】ＢＰＦ３５の特性を示す図である。
【図５】ＡＦＣを用いない信号レベル検出を備える通信機の構成を示すブロック図である。
【図６】隣接信号がＢＰＦ１１２を通過する場合を示す図である。
【図７】ＡＦＣを用いる信号レベル検出を備える通信機の構成を示すブロック図である。
【符号の説明】
【００５３】
１１    アンテナ
１２、１５、３５    ＢＰＦ
１３    増幅器
１６    出力器
１７    スケルチ制御回路
２０    復調部
２２、３３    局部発振器
２３    移相器
２４、２５、３４    混合器
２６、２７、３１    ＬＰＦ
２８    検波器
３０    信号レベル検出部
３２    ＡＦＣ
３６    増幅器
３７    信号レベル検出器
１００    通信機
【図１】
2010098524.tif 000003
【図２】
2010098524.tif 000004
【図３】
2010098524.tif 000005
【図４】
2010098524.tif 000006
【図５】
2010098524.tif 000007
【図６】
2010098524.tif 000008
【図７】
2010098524.tif 000009